(57)【要約】  テレビ受信中に電子メール受信の通知を受け、受信した電子メールの内容を閲覧する場合、テレビの視聴を妨げることなく、簡易で確実に実行可能なユーザ操作により、受信した電子メールの内容を閲覧することができるようにする。  テレビを受信するテレビ受信手段と、電子メールを送受信する電子メール送受信手段と、各種情報の表示を行うともに、触感を感知する情報表示手段と、情報表示手段の表示を制御する制御手段と、を備えた携帯端末装置であって、制御手段は、テレビ受信手段より情報表示手段にテレビ番組を表示中に、電子メール送受信手段により電子メールを受信した場合、電子メールを受信した旨を通知するための通知表示を情報表示手段に表示し、情報表示手段により通知表示に対する触感が感知された場合、情報表示手段にテレビ番組を表示したまま、受信した電子メールの内容を情報表示手段に表示する。
2008146747.tif 000002
【特許請求の範囲】
【請求項１】
テレビを受信するテレビ受信手段と、
電子メールを送受信する電子メール送受信手段と、
各種情報の表示を行うともに、触感を感知する情報表示手段と、
前記情報表示手段の表示を制御する制御手段と、を備えた携帯端末装置であって、
前記制御手段は、
前記テレビ受信手段より前記情報表示手段にテレビ番組を表示中に、前記電子メール送受信手段により電子メールを受信した場合、前記電子メールを受信した旨を通知するための通知表示を前記情報表示手段に表示し、
前記情報表示手段により前記通知表示に対する触感が感知された場合、前記情報表示手段に前記テレビ番組を表示したまま、前記受信した電子メールの内容を前記情報表示手段に表示することを特徴とする携帯端末装置。
【請求項２】
前記制御手段は、
前記情報表示手段により前記通知表示に対する触感が感知された場合、前記情報表示手段の表示領域を２分割し、
前記２分割した表示領域のうち、一方に前記テレビ番組を表示し、もう一方に前記受信した電子メールを表示することを特徴とする請求項１記載の携帯端末装置。
【請求項３】
前記制御手段は、
前記２分割した表示領域のうち、前記テレビ番組を表示する表示領域に対して、前記テレビ番組を縮小して表示することを特徴とする請求項２記載の携帯端末装置。
【請求項４】
音声通話を行う電話手段を有し、
前記制御手段は、
前記テレビ受信手段より前記情報表示手段にテレビ番組を表示中に、前記電話手段により音声通話を受信した場合、前記音声通話を受信した旨を通知するための通知表示を前記情報表示手段に表示し、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にし、
前記音声通話が終了した場合、前記一時記憶したチャンネル情報に基づいて、前記一時中断したテレビ番組を再度表示することを特徴とする請求項１から３のいずれか１項に記載の携帯端末装置。
【請求項５】
前記制御手段は、
前記通知表示として、前記情報表示手段に表示中の前記テレビ番組を視認可能な、半透明テロップ及びアイコンのうち少なくとも１つを表示することを特徴とする請求項１から４のいずれか１項に記載の携帯端末装置。
【請求項６】
前記制御手段は、
前記半透明テロップに、少なくとも発信者の名前を含んで表示することを特徴とする請求項５記載の携帯端末装置。
【請求項７】
テレビを受信するテレビ受信手段と、
音声通話を行う電話手段と、
各種情報の表示を行うともに、触感を感知する情報表示手段と、
前記情報表示手段の表示を制御する制御手段と、を備えた携帯端末装置であって、
前記制御手段は、
前記テレビ受信手段より前記情報表示手段にテレビ番組を表示中に、前記電話手段により音声通話を受信した場合、前記音声通話を受信した旨を通知するための通知表示を前記情報表示手段に表示し、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にし、
前記音声通話が終了した場合、前記一時記憶したチャンネル情報に基づいて、前記一時中断したテレビ番組を再度表示することを特徴とする携帯端末装置。
【請求項８】
前記制御手段は、
前記通知表示として、前記情報表示手段に表示中の前記テレビ番組を視認可能な、半透明テロップ及びアイコンのうち少なくとも１つを表示することを特徴とする請求項７記載の携帯端末装置。
【請求項９】
前記制御手段は、
前記半透明テロップに、少なくとも発信者の名前を含んで表示することを特徴とする請求項８記載の携帯端末装置。
【請求項１０】
各種情報の表示を行うともに、触感を感知する情報表示手段を備えた携帯端末装置のテレビ表示方法であって、
前記情報表示手段にテレビ番組を表示中に、電子メールを受信した場合、前記電子メールを受信した旨を通知するための通知表示を前記情報表示手段に表示し、
前記情報表示手段により前記通知表示に対する触感が感知された場合、前記情報表示手段に前記テレビ番組を表示したまま、前記受信した電子メールの内容を前記情報表示手段に表示することを特徴とする携帯端末装置のテレビ表示方法。
【請求項１１】
前記情報表示手段により前記通知表示に対する触感が感知された場合、前記情報表示手段の表示領域を２分割し、
前記２分割した表示領域のうち、一方に前記テレビ番組を表示し、もう一方に前記受信した電子メールを表示することを特徴とする請求項１０記載の携帯端末装置のテレビ表示方法。
【請求項１２】
前記２分割した表示領域のうち、前記テレビ番組を表示する表示領域に対して、前記テレビ番組を縮小して表示することを特徴とする請求項１１記載の携帯端末装置のテレビ表示方法。
【請求項１３】
前記情報表示手段にテレビ番組を表示中に、音声通話を受信した場合、前記音声通話を受信した旨を通知するための通知表示を前記情報表示手段に表示し、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にし、
前記音声通話が終了した場合、前記一時記憶したチャンネル情報に基づいて、前記一時中断したテレビ番組を再度表示することを特徴とする請求項１０から１２のいずれか１項に記載の携帯端末装置のテレビ表示方法。
【請求項１４】
前記通知表示として、前記情報表示手段に表示中の前記テレビ番組を視認可能な、半透明テロップ及びアイコンのうち少なくとも１つを表示することを特徴とする請求項１０から１３のいずれか１項に記載の携帯端末装置のテレビ表示方法。
【請求項１５】
前記半透明テロップに、少なくとも発信者の名前を含んで表示することを特徴とする請求項１４記載の携帯端末装置のテレビ表示方法。
【請求項１６】
各種情報の表示を行うともに、触感を感知する情報表示手段を備えた携帯端末装置のテレビ表示方法であって、
前記情報表示手段にテレビ番組を表示中に、音声通話を受信した場合、前記音声通話を受信した旨を通知するための通知表示を前記情報表示手段に表示し、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にし、
前記音声通話が終了した場合、前記一時記憶したチャンネル情報に基づいて、前記一時中断したテレビ番組を再度表示することを特徴とする携帯端末装置のテレビ表示方法。
【請求項１７】
前記通知表示として、前記情報表示手段に表示中の前記テレビ番組を視認可能な、半透明テロップ及びアイコンのうち少なくとも１つを表示することを特徴とする請求項１６記載の携帯端末装置のテレビ表示方法。
【請求項１８】
前記半透明テロップに、少なくとも発信者の名前を含んで表示することを特徴とする請求項１７記載の携帯端末装置のテレビ表示方法。
【請求項１９】
各種情報の表示を行うともに、触感を感知する情報表示手段にテレビ番組を表示する処理と、
前記情報表示手段に前記テレビ番組を表示中に、電子メールを受信する処理と、
前記電子メールを受信した旨を通知するための通知表示を前記情報表示手段に表示する処理と、
前記情報表示手段により前記通知表示に対する触感が感知された場合、前記情報表示手段に前記テレビ番組を表示したまま、前記受信した電子メールの内容を前記情報表示手段に表示する処理と、
をコンピュータに実行させることを特徴とするプログラム。
【請求項２０】
前記情報表示手段により前記通知表示に対する触感が感知された場合、前記情報表示手段の表示領域を２分割する処理と、
前記２分割した表示領域のうち、一方に前記テレビ番組を表示し、もう一方に前記受信した電子メールを表示する処理と、
をコンピュータに実行させることを特徴とする請求項１９記載のプログラム。
【請求項２１】
前記２分割した表示領域のうち、前記テレビ番組を表示する表示領域に対して、前記テレビ番組を縮小して表示する処理をコンピュータに実行させることを特徴とする請求項２０記載のプログラム。
【請求項２２】
前記情報表示手段に前記テレビ番組を表示中に、音声通話を受信した場合、前記音声通話を受信した旨を通知するための通知表示を前記情報表示手段に表示する処理と、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にする処理と、
前記音声通話が終了した場合、前記一時記憶したチャンネル情報に基づいて、前記一時中断したテレビ番組を再度表示する処理と、
をコンピュータに実行させることを特徴とする請求項１９から２１のいずれか１項に記載のプログラム。
【請求項２３】
前記通知表示として、前記情報表示手段に表示中の前記テレビ番組を視認可能な、半透明テロップ及びアイコンのうち少なくとも１つを表示する処理をコンピュータに実行させることを特徴とする請求項１９から２２のいずれか１項に記載のプログラム。
【請求項２４】
前記半透明テロップに、少なくとも発信者の名前を含んで表示する処理をコンピュータに実行させることを特徴とする請求項２３記載のプログラム。
【請求項２５】
各種情報の表示を行うともに、触感を感知する情報表示手段にテレビ番組を表示する処理と、
前記情報表示手段に前記テレビ番組を表示中に、音声通話を受信する処理と、
前記音声通話を受信した旨を通知するための通知表示を前記情報表示手段に表示する処理と、
前記情報表示手段により前記通知表示に対する触感が感知された場合、前記情報表示手段に表示中の前記テレビ番組を示すチャンネル情報を一時記憶し、該テレビ番組の表示を一時中断して、前記音声通話が可能な状態にする処理と、
前記音声通話が終了した場合、前記一時記憶したチャンネル情報に基づいて、前記一時中断したテレビ番組を再度表示する処理と、
をコンピュータに実行させることを特徴とするプログラム。
【請求項２６】
前記通知表示として、前記情報表示手段に表示中の前記テレビ番組を視認可能な、半透明テロップ及びアイコンのうち少なくとも１つを表示する処理をコンピュータに実行させることを特徴とする請求項２５記載のプログラム。
【請求項２７】
前記半透明テロップに、少なくとも発信者の名前を含んで表示する処理をコンピュータに実行させることを特徴とする請求項２６記載のプログラム。
【発明の詳細な説明】
【技術分野】
【０００１】
本発明は、テレビ受信機能及び電子メール送受信機能を備えた携帯端末装置、そのテレビ表示方法及びプログラムに関する。
【背景技術】
【０００２】
本発明に関連する、テレビ受信機能及びメール送受信機能を備えた携帯端末装置には、例えば、テレビの受信中に電子メールを受信（着信）した場合、テレビ画面上にテロップやアイコンを表示することにより、電子メールを受信したことをユーザに通知する機能を備えたものがある。例えば、特許文献１には、テレビの受信中に電子メールを受信した場合、テレビ画面とは別に、電子メール受信を通知するための画面を表示する機能が開示されている。【０００３】
そして、このような携帯端末では、上述した機能により、テレビ受信中に電子メール受信の通知を受けた場合、受信した電子メールの内容を閲覧するためのユーザ操作が必要となる。例えば、機能選択メニュー等から電子メール閲覧機能の起動を選択するユーザ操作が必要となる。そして、このようなユーザ操作が行われると、例えば、テレビ番組の再生が音声のみとなり、テレビを表示していた画面が受信メールの表示に切り替わる。よって、テレビ受信中に受信した電子メールの内容を閲覧する際には、煩雑なユーザ操作が必要になるとともに、受信した電子メールの表示に切り替わるため、テレビの受信を続けることができなくなるという問題があった。【０００４】
また、テレビ受信中に受信した電子メールの内容を閲覧する際に、特定の操作キーを長押しするなどして、受信した電子メールの内容を閲覧するための画面に切り替えることができるものもある。しかし、ワンタッチのユーザ操作で、受信した電子メールの内容の表示を行うことはできるが、ユーザがその操作キーを忘れてしまうおそれがあり、ユーザにとって使い勝手が悪いという問題があった。
【特許文献１】特開２００５−１３０１３２号公報
【発明の開示】
【発明が解決しようとする課題】
【０００５】
本発明は、上記事情に鑑みてなされたものであり、テレビ受信中に電子メール受信の通知を受け、受信した電子メールの内容を閲覧する場合、テレビの視聴を妨げることなく、簡易で確実に実行可能なユーザ操作により、受信した電子メールの内容を閲覧することができる携帯端末装置、そのテレビ表示方法及びプログラムを提供することを目的とする。
【課題を解決するための手段】
【０００６】
かかる目的を達成するために、本発明の携帯端末装置は、第１の態様として、テレビを受信するテレビ受信手段と、電子メールを送受信する電子メール送受信手段と、各種情報の表示を行うともに、触感を感知する情報表示手段と、情報表示手段の表示を制御する制御手段と、を備えた携帯端末装置であって、制御手段は、テレビ受信手段より情報表示手段にテレビ番組を表示中に、電子メール送受信手段により電子メールを受信した場合、電子メールを受信した旨を通知するための通知表示を情報表示手段に表示し、情報表示手段により通知表示に対する触感が感知された場合、情報表示手段にテレビ番組を表示したまま、受信した電子メールの内容を情報表示手段に表示することを特徴とする。【０００７】
また、本発明の携帯端末装置は、第１の態様において、制御手段は、情報表示手段により通知表示に対する触感が感知された場合、情報表示手段の表示領域を２分割し、２分割した表示領域のうち、一方にテレビ番組を表示し、もう一方に受信した電子メールを表示するようにしてもよい。【０００８】
また、本発明の携帯端末装置は、第１の態様において、制御手段は、２分割した表示領域のうち、テレビ番組を表示する表示領域に対して、テレビ番組を縮小して表示するようにしてもよい。【０００９】
また、本発明の携帯端末装置は、第１の態様において、音声通話を行う電話手段を有し、制御手段は、テレビ受信手段より情報表示手段にテレビ番組を表示中に、電話手段により音声通話を受信した場合、音声通話を受信した旨を通知するための通知表示を情報表示手段に表示し、情報表示手段により通知表示に対する触感が感知された場合、情報表示手段に表示中のテレビ番組を示すチャンネル情報を一時記憶し、テレビ番組の表示を一時中断して、音声通話が可能な状態にし、音声通話が終了した場合、一時記憶したチャンネル情報に基づいて、一時中断したテレビ番組を再度表示するようにしてもよい。【００１０】
また、本発明の携帯端末装置は、第１の態様において、制御手段は、通知表示として、情報表示手段に表示中のテレビ番組を視認可能な、半透明テロップ及びアイコンのうち少なくとも１つを表示するようにしてもよい。【００１１】
また、本発明の携帯端末装置は、第１の態様において、制御手段は、半透明テロップに、少なくとも発信者の名前を含んで表示するようにしてもよい。【００１２】
本発明の携帯端末装置は、第２の態様として、テレビを受信するテレビ受信手段と、音声通話を行う電話手段と、各種情報の表示を行うともに、触感を感知する情報表示手段と、情報表示手段の表示を制御する制御手段と、を備えた携帯端末装置であって、制御手段は、テレビ受信手段より情報表示手段にテレビ番組を表示中に、電話手段により音声通話を受信した場合、音声通話を受信した旨を通知するための通知表示を情報表示手段に表示し、情報表示手段により通知表示に対する触感が感知された場合、情報表示手段に表示中のテレビ番組を示すチャンネル情報を一時記憶し、テレビ番組の表示を一時中断して、音声通話が可能な状態にし、音声通話が終了した場合、一時記憶したチャンネル情報に基づいて、一時中断したテレビ番組を再度表示することを特徴とする。【００１３】
また、本発明の携帯端末装置は、第２の態様において、制御手段は、通知表示として、情報表示手段に表示中のテレビ番組を視認可能な、半透明テロップ及びアイコンのうち少なくとも１つを表示するようにしてもよい。【００１４】
また、本発明の携帯端末装置は、第２の態様において、制御手段は、半透明テロップに、少なくとも発信者の名前を含んで表示するようにしてもよい。【００１５】
本発明の携帯端末装置のテレビ表示方法は、第１の態様として、各種情報の表示を行うともに、触感を感知する情報表示手段を備えた携帯端末装置のテレビ表示方法であって、情報表示手段にテレビ番組を表示中に、電子メールを受信した場合、電子メールを受信した旨を通知するための通知表示を情報表示手段に表示し、情報表示手段により通知表示に対する触感が感知された場合、情報表示手段にテレビ番組を表示したまま、受信した電子メールの内容を情報表示手段に表示することを特徴とする。【００１６】
また、本発明の携帯端末装置のテレビ表示方法は、第１の態様において、情報表示手段により通知表示に対する触感が感知された場合、情報表示手段の表示領域を２分割し、２分割した表示領域のうち、一方にテレビ番組を表示し、もう一方に受信した電子メールを表示するようにしてもよい。【００１７】
また、本発明の携帯端末装置のテレビ表示方法は、第１の態様において、２分割した表示領域のうち、テレビ番組を表示する表示領域に対して、テレビ番組を縮小して表示するようにしてもよい。【００１８】
また、本発明の携帯端末装置のテレビ表示方法は、第１の態様において、情報表示手段にテレビ番組を表示中に、音声通話を受信した場合、音声通話を受信した旨を通知するための通知表示を情報表示手段に表示し、情報表示手段により通知表示に対する触感が感知された場合、情報表示手段に表示中のテレビ番組を示すチャンネル情報を一時記憶し、テレビ番組の表示を一時中断して、音声通話が可能な状態にし、音声通話が終了した場合、一時記憶したチャンネル情報に基づいて、一時中断したテレビ番組を再度表示するようにしてもよい。【００１９】
また、本発明の携帯端末装置のテレビ表示方法は、第１の態様において、通知表示として、情報表示手段に表示中のテレビ番組を視認可能な、半透明テロップ及びアイコンのうち少なくとも１つを表示するようにしてもよい。【００２０】
また、本発明の携帯端末装置のテレビ表示方法は、第１の態様において、半透明テロップに、少なくとも発信者の名前を含んで表示するようにしてもよい。【００２１】
本発明の携帯端末装置のテレビ表示方法は、第２の態様として、各種情報の表示を行うともに、触感を感知する情報表示手段を備えた携帯端末装置のテレビ表示方法であって、情報表示手段にテレビ番組を表示中に、音声通話を受信した場合、音声通話を受信した旨を通知するための通知表示を情報表示手段に表示し、情報表示手段により通知表示に対する触感が感知された場合、情報表示手段に表示中のテレビ番組を示すチャンネル情報を一時記憶し、テレビ番組の表示を一時中断して、音声通話が可能な状態にし、音声通話が終了した場合、一時記憶したチャンネル情報に基づいて、一時中断したテレビ番組を再度表示することを特徴とする。【００２２】
また、本発明の携帯端末装置のテレビ表示方法は、第２の態様において、通知表示として、情報表示手段に表示中のテレビ番組を視認可能な、半透明テロップ及びアイコンのうち少なくとも１つを表示するようにしてもよい。【００２３】
また、本発明の携帯端末装置のテレビ表示方法は、第２の態様において、半透明テロップに、少なくとも発信者の名前を含んで表示するようにしてもよい。【００２４】
本発明のプログラムは、第１の態様として、各種情報の表示を行うともに、触感を感知する情報表示手段にテレビ番組を表示する処理と、情報表示手段にテレビ番組を表示中に、電子メールを受信する処理と、電子メールを受信した旨を通知するための通知表示を情報表示手段に表示する処理と、情報表示手段により通知表示に対する触感が感知された場合、情報表示手段にテレビ番組を表示したまま、受信した電子メールの内容を情報表示手段に表示する処理と、をコンピュータに実行させることを特徴とする。【００２５】
また、本発明のプログラムは、第１の態様において、情報表示手段により通知表示に対する触感が感知された場合、情報表示手段の表示領域を２分割する処理と、２分割した表示領域のうち、一方にテレビ番組を表示し、もう一方に受信した電子メールを表示する処理と、をコンピュータに実行させるようにしてもよい。【００２６】
また、本発明のプログラムは、第１の態様において、２分割した表示領域のうち、テレビ番組を表示する表示領域に対して、テレビ番組を縮小して表示する処理をコンピュータに実行させるようにしてもよい。【００２７】
また、本発明のプログラムは、第１の態様において、情報表示手段にテレビ番組を表示中に、音声通話を受信した場合、音声通話を受信した旨を通知するための通知表示を情報表示手段に表示する処理と、情報表示手段により通知表示に対する触感が感知された場合、情報表示手段に表示中のテレビ番組を示すチャンネル情報を一時記憶し、テレビ番組の表示を一時中断して、音声通話が可能な状態にする処理と、音声通話が終了した場合、一時記憶したチャンネル情報に基づいて、一時中断したテレビ番組を再度表示する処理と、をコンピュータに実行させるようにしてもよい。【００２８】
また、本発明のプログラムは、第１の態様において、通知表示として、情報表示手段に表示中のテレビ番組を視認可能な、半透明テロップ及びアイコンのうち少なくとも１つを表示する処理をコンピュータに実行させるようにしてもよい。【００２９】
また、本発明のプログラムは、第１の態様において、半透明テロップに、少なくとも発信者の名前を含んで表示する処理をコンピュータに実行させるようにしてもよい。【００３０】
本発明のプログラムは、第２の態様として、各種情報の表示を行うともに、触感を感知する情報表示手段にテレビ番組を表示する処理と、情報表示手段にテレビ番組を表示中に、音声通話を受信する処理と、音声通話を受信した旨を通知するための通知表示を情報表示手段に表示する処理と、情報表示手段により通知表示に対する触感が感知された場合、情報表示手段に表示中のテレビ番組を示すチャンネル情報を一時記憶し、テレビ番組の表示を一時中断して、音声通話が可能な状態にする処理と、音声通話が終了した場合、一時記憶したチャンネル情報に基づいて、一時中断したテレビ番組を再度表示する処理と、をコンピュータに実行させることを特徴とする。【００３１】
また、本発明のプログラムは、第２の態様において、通知表示として、情報表示手段に表示中のテレビ番組を視認可能な、半透明テロップ及びアイコンのうち少なくとも１つを表示する処理をコンピュータに実行させるようにしてもよい。【００３２】
また、本発明のプログラムは、第２の態様において、半透明テロップに、少なくとも発信者の名前を含んで表示する処理をコンピュータに実行させるようにしてもよい。
【発明の効果】
【００３３】
本発明によれば、テレビ受信中に電子メール受信の通知を受け、受信した電子メールの内容を閲覧する場合、テレビの視聴を妨げることなく、簡易で確実に実行可能なユーザ操作により、受信した電子メールの内容を閲覧することが可能となる。
【発明を実施するための最良の形態】
【００３４】
以下、本発明を実施するための最良の形態について添付図面を参照して詳細に説明する。【００３５】
本発明の一実施形態である携帯端末装置は、タッチスクリーンにテレビ番組を表示できる携帯端末装置であって、テレビ番組の受信中に電子メールを受信したとき、テレビ番組を表示しているテレビ画面に半透明のテロップを表示することにより、電子メールの受信を通知することを特徴とする。また、ユーザが、テレビ画面に表示された半透明のテロップにタッチしたとき、テレビ画面を縮小して表示するとともに、縮小したテレビ画面の隣に、受信した電子メールの内容を表示することを特徴とする。これにより、テレビ番組の視聴をなるべく妨げずに、受信した電子メールの内容を確認することができる。【００３６】
また、半透明のテロップには、受信した電子メールの送信者名やアドレスなどを表示するようにしてもよい。【００３７】
また、電子メールを受信したとき、テレビ画面上の一部にアイコンを表示してメールの受信を通知するようにしてもよい。【００３８】
〔第１の実施形態〕
図１に、本発明の一実施形態である携帯端末装置の表示画面の一例を示す。本発明の携帯端末装置では、情報表示部として機能する画面をタッチスクリーン（触感感知ディスプレイ）で構成している。なお、タッチスクリーンは、現在一般的に使用されているものを用いるものとし、ここでの説明は省略する。【００３９】
図１（Ａ）は、テレビ番組の表示時を示しており、画面全体を使って、テレビ画面１０１（テレビ番組）が表示されている。このとき、電子メールを受信すると、電子メールの受信をユーザに通知する手段として、メール受信アイコン及び半透明テロップのうち少なくとも１つがテレビ画面１０１に表示される。図１（Ｂ）では、メール受信アイコン１０２及び半透明テロップ１０３の両方が表示された場合を示している。【００４０】
図１（Ｂ）に示すように、メール受信アイコン１０２はテレビ画面１０１の上部端に表示されるため、テレビ画面１０１におけるテレビ番組の表示を妨げない。なお、メール受信アイコン１０２の表示位置は、テレビ画面１０１の上部端に限られず、テレビ画面１０１におけるテレビ番組の表示を妨げない位置であればよい。【００４１】
また、図１（Ｂ）に示すように、半透明テロップ１０３は、表示中のテレビ画面１０１が透けるように表示されるため、テレビ画面１０１におけるテレビ番組の表示を妨げない。なお、この半透明テロップ１０３は、所定期間（例えば４秒間など）の間だけ表示されるようにしてもよい。また、半透明テロップ１０３に含まれる内容（通知内容）としては、図１（Ｂ）に示す電子メールの送信者名の他に、送信者のアドレス、受信した電子メールのタイトル（題名）、受信した日時、などを含むようにしてもよい。あるいは、半透明テロップ１０３に含まれる内容（通知内容）として、単に「メールを１件受信しました」というようなメッセージを含むだけでもよい。【００４２】
そして、図１（Ｂ）の状態の時に、ユーザが、受信した電子メールの内容を確認するために、メール受信アイコン１０２又は半透明テロップ１０３を指先やタッチペン等でタッチする。すると、図１（Ｃ）に示すように、全画面表示であったテレビ画面１０１は縮小され、縮小テレビ画面１０４となって表示される。また、この縮小テレビ画面１０４に隣接して、受信した電子メールの内容（本文など）を示すメール画面１０５が表示される。なお、図１（Ｃ）では、縮小テレビ画面１０４とメール画面１０５の表示領域（面積）の比率をおよそ半々（５：５）としたが、それぞれの表示領域は、ユーザが予め任意の大きさに設定できるようにしてもよい。【００４３】
図２は、本発明の一実施形態である携帯端末装置１０の主要部を示すブロック図である。以下、主要部の各部について説明する。【００４４】
無線部１１は、図示省略した携帯通信網及びインターネットに接続するためのものであり、通信用アンテナ１７にて受信した電波から受信データ（電子メールを含む）を生成し、制御部１４に伝送する。また、制御部１４にて生成した送信データ（電子メールを含む）を、通信用の電波に変換する。【００４５】
テレビ受信部１２は、テレビ用アンテナ１８において受信したテレビ番組の受信波をデコードして、制御部１４に伝送するものである。【００４６】
記憶部１３は、携帯端末装置１０の制御プログラム、受信した電子メール、その他の情報などを保存するものである。【００４７】
制御部１４は、記憶部１３に格納されている制御プログラムを読み出し、その制御プログラムに従って、テレビ番組の表示処理、電子メールの送受信及び表示処理等の各種処理（図３に示すフローも含む）を実行するものである。【００４８】
操作部１５は、テンキーやカーソルキー等を有し、ユーザからの入力を受けるものである。ただし、本発明は、タッチスクリーンを備えるため、操作部１５は適宜設けられればよい。【００４９】
タッチスクリーン１６は、テレビ番組や電子メール画面等の各種情報を表示するものであり、表示領域上の所定の位置におけるユーザの指などの接触を検知する機能（触感感知機能）を有している。【００５０】
図３に、本発明の一実施形態である携帯端末装置の動作（本発明の一実施形態であるテレビ表示方法）の一例を示す。【００５１】
テレビ表示処理が実行されると、まず、テレビ受信部１２にて受信したテレビ電波をデコードして、タッチスクリーン１６にテレビ番組を全画面表示する（ステップＳ１０１）。【００５２】
次に、電子メールの受信を監視する（ステップＳ１０２）。電子メールの受信を検出すると（ステップＳ１０２／ＹＥＳ）、タッチスクリーン１６（テレビ画面１０１）の例えば上部（又は下部）において、電子メールを受信した旨を、半透明テロップ１０３を用いて表示する（ステップＳ１０３）。上述したように、半透明テロップ１０３には、受信した電子メールの送信者名などを含む。【００５３】
半透明テロップ１０３の表示が、予め設定された所定期間（テロップ表示を行う期間。例えば４秒間等）を経過したかどうかを計測する（ステップＳ１０４）。予め設定された所定時間を経過すると（ステップＳ１０４／ＹＥＳ）、半透明テロップ１０３の表示を終了する（ステップＳ１０５）。なお、テロップ表示を行う期間が設定されていない場合は、半透明テロップ１０３の表示を継続したままとする（図３では、ステップＳ１０３から、ステップＳ１０４及びＳ１０５をとばして、ステップＳ１０６に進む。破線矢印参照）。【００５４】
そして、メール受信アイコン１０２を、上部端に表示する（ステップＳ１０６）。【００５５】
次に、メール着信アイコン１０２又は半透明テロップ１０３に対する、ユーザによるタッチを検出した場合（ステップＳ１０７）、テレビ画面１０１を縮小表示するとともに、メール画面１０５を縮小テレビ画面１０４に並べて表示する（ステップＳ１０８）。【００５６】
その後、ユーザによって、メール画面１０５の表示を終了する操作が行われると、メール画面１０５の表示の終了とともに、縮小テレビ画面１０４の表示も終了し、全画面のテレビ画面１０１を表示する（ステップＳ１０９）。【００５７】
そして、ユーザによって、テレビ画面１０１の表示を終了する操作が行われると、テレビ画面１０１の表示を終了し、テレビ表示処理が終了する（ステップＳ１１０）。【００５８】
なお、上記ステップＳ１０６において表示するようにしたメール受信アイコン１０２は、半透明テロップ１０３の表示開始時（ステップＳ１０３）に同時に表示するようにしてもよい。その場合、半透明テロップ１０３は所定期間経過後表示が終了するが、メール着信アイコン１０２は、受信メールが未読の際は継続的に表示するようにしてもよい。【００５９】
以上説明したように、本発明の一実施形態である携帯端末装置によれば、テレビの観賞中に電子メールを受信した場合、半透明のテロップにてメールの着信を通知し、さらに、ワンタッチの操作で、テレビ画面の隣に、受信した電子メールの内容を表示する。これにより、テレビ番組の観賞（視聴）をなるべく妨げずに、受信したメールの内容を確認することができる。【００６０】
〔第２の実施形態〕
上記第１の実施形態では、テレビ受信中の電子メールの受信について説明したが、第２の実施形態として、テレビ受信中の電話の着信について説明する。なお、携帯端末装置の基本的な構成や動作は、上記第１の実施形態と同様であるので、ここでの説明は省略する。【００６１】
テレビ受信中に電話の着信があった場合、電話の着信がある旨（又は、発信者名など）を、半透明テロップやアイコンを用いてテレビ画面の上部などに表示する。そして、ユーザにより半透明テロップ１０３がタッチされた場合、受信中のチャンネルを示すチャンネル情報情報を記憶部１３に一時記憶するとともに、テレビ受信を一時中断し、通話モード（発信相手との通話が可能な状態）に切り替える。この切り替えにより、ユーザは、発信者と通常の通話ができる。そして、ユーザにより通話を終了する操作がされると、記憶部１３からチャンネル情報を読み出し、そのチャンネル情報に基づいて、一時中断していたテレビ受信を再び開始する。【００６２】
以上、本発明の各実施形態について説明したが、上記各実施形態の記載に限定されるものではなく、その要旨を逸脱しない範囲において種々の変形が可能である。【００６３】
この出願は、２００７年５月２９日に出願された日本出願特願２００７−１４２３９８を基礎とする優先権を主張し、その開示を全てここに取り込む。
【産業上の利用可能性】
【００６４】
本発明は、テレビ受信中に電子メールや電話を受信することが可能な、装置、機器、システム、方法、プログラムに適用できる。
【図面の簡単な説明】
【００６５】
【図１】本発明の一実施形態である携帯端末装置の表示画面の一例を示す図である。
【図２】本発明の一実施形態である携帯端末装置の主要部の構成を示すブロック図である。
【図３】本発明の一実施形態である携帯端末装置の動作を示すフローチャートである。
【符号の説明】
【００６６】
１０    携帯端末装置
１１    無線部（電子メール送受信手段の一部、電話手段の一部）
１２    テレビ受信部（テレビ受信手段の一部）
１３    記憶部
１４    制御部（制御手段）
１５    操作部
１６    タッチスクリーン（情報表示手段の一例）
１７    通信用アンテナ（電子メール送受信手段の一部、電話手段の一部）
１８    テレビ用アンテナ（テレビ受信手段の一部）
１０１    テレビ画面（全画面表示）
１０２    メール受信アイコン（通知表示の一例）
１０３    半透明テロップ（通知表示の一例）
１０４    縮小テレビ画面
１０５    メール画面
【図１】
2008146747.tif 000003
【図２】
2008146747.tif 000004
【図３】
2008146747.tif 000005
【国際調査報告】
2008146747.tif 000006
2008146747.tif 000007
2008146747.tif 000008
2008146747.tif 000009